(57)【要約】      （修正有）【課題】額縁周辺に小物を置きたいときに、小物が置ける収納棚を額縁に簡単に取り付けられ、また、額縁に収納棚を取り付けた後で額縁のみで飾りたいときに、収納棚を額縁から簡単に取り外せる額縁用収納棚を提供する。【解決手段】収納棚付き額縁１０は、額縁１２と、額縁１２に取り付けられたレール２２と、収納棚２４とを有する。収納棚２４は、スライド２６と、収納部２８とを備える。スライド２６は、レール２２に嵌め込まれ、レール２２に沿って移動する。収納部２８は、額縁１２の下方に現れる。レール２２は、額縁１２の裏面の下縁２０に沿って取り付けられる。レール２２とスライド２６との間に挿入してスライド２６を固定するストッパ３６をさらに有していてもよい。【選択図】図１
0003180655.tif 000002
【実用新案登録請求の範囲】
【請求項１】
額縁と、
前記額縁に取り付けられたレールと、
前記レールに嵌め込まれ、前記レールに沿って移動するスライドと、前記額縁の下方に現れる収納部とを備える収納棚と、
を有する収納棚付き額縁。
【請求項２】
請求項１において、
前記レールは、前記額縁の裏面に取り付けられる収納棚付き額縁。
【請求項３】
請求項２において、
前記レールは、前記額縁の裏面の下縁に沿って取り付けられる収納棚付き額縁。
【請求項４】
請求項１から３のいずれかにおいて、
前記レールと前記スライドとの間に挿入して前記スライドを固定するストッパをさらに有する収納棚付き額縁。
【請求項５】
額縁に取り付けられるレールと、
前記レールに嵌め込むと前記レールに沿って移動するスライドと、収納部とを備える収納棚と、
を有する額縁用収納棚。
【請求項６】
請求項５において、
前記レールは、前記額縁の裏面に取り付けられる額縁用収納棚。
【請求項７】
請求項６において、
前記レールは、前記額縁の裏面の下縁に沿って取り付けられる額縁用収納棚。
【請求項８】
請求項５から７のいずれかにおいて、
前記額縁に取り付けられたレールに前記スライドを嵌め込んだ状態で、前記レールと前記スライドとの間に挿入して前記スライドを固定するストッパをさらに有する額縁用収納棚。
【請求項９】
請求項５から８のいずれかにおいて、
前記収納部は、背板と、前記背板を覆う板状の背板カバーとを備え、
前記背板カバーは、色違いの他の背板カバーと入れ替えできる額縁用収納棚。
【考案の詳細な説明】
【技術分野】
【０００１】
本考案は、額縁に収納棚が取り付けられた収納棚付き額縁と、この収納棚付き額縁に用いる額縁用収納棚に関する。
【背景技術】
【０００２】
写真や絵画等が入れられた額縁が、壁に吊り下げられ飾られている。このとき、写真や絵画等に関連する小物、例えば、一緒に写真を撮ったプロ野球選手のサイン入りボールも額縁周辺に飾りたい。しかしながら、額縁自体にボールを飾ることはできない。
【考案の概要】
【考案が解決しようとする課題】
【０００３】
本考案は、このような事情に鑑みてなされたものであり、額縁周辺に小物を置きたいときに額縁に簡単に取り付けられる額縁用収納棚と、この額縁用収納棚を含む収納棚付き額縁を提供することを目的とする。
【課題を解決するための手段】
【０００４】
本考案の額縁用収納棚は、額縁と、額縁に取り付けられたレールと、レールに嵌め込まれ、レールに沿って移動するスライドと、額縁の下方に現れる収納部とを備える収納棚とを有する。
【０００５】
本考案の額縁用収納棚において、レールは、額縁の裏面に取り付けられることが好ましい。本考案の額縁用収納棚において、レールは、額縁の裏面の下縁に沿って取り付けられることが好ましい。本考案の額縁用収納棚において、レールとスライドとの間に挿入してスライドを固定するストッパをさらに有することが好ましい。本考案の額縁用収納棚において、収納部は、背板と、背板を覆う板状の背板カバーとを備え、背板カバーは、色違いの他の背板カバーと入れ替えできるようにしてもよい。
【０００６】
本考案の額縁用収納棚は、額縁に取り付けられるレールと、レールに嵌め込むとレールに沿って移動するスライドと、収納部とを備える収納棚とを有する。本考案の額縁用収納棚において、レールは、額縁の裏面に取り付けられることが好ましい。本考案の額縁用収納棚において、レールは、額縁の裏面の下縁に沿って取り付けられることが好ましい。本考案の額縁用収納棚において、額縁に取り付けられたレールにスライドを嵌め込んだ状態で、レールとスライドとの間に挿入してスライドを固定するストッパをさらに有してもよい。
【考案の効果】
【０００７】
本考案によれば、額縁周辺に小物を置きたいときに、小物が置ける収納棚を額縁に簡単に取り付けられる。また、額縁に収納棚を取り付けた後で額縁のみで飾りたいときに、収納棚を額縁から簡単に取り外せる。
【図面の簡単な説明】
【０００８】
【図１】本考案の実施形態に係る収納棚付き額縁の左側面図である。
【図２】本考案の実施形態に係る収納棚付き額縁の上面図である。
【図３】本考案の実施形態に係る収納棚付き額縁の正面図である。
【図４】本考案の実施形態に係る収納棚付き額縁の背面図である。
【考案を実施するための形態】
【０００９】
以下、本考案の収納棚付き額縁および額縁用収納棚について、図面を参照しながら実施形態に基づいて説明する。なお、額縁用収納棚は、収納棚付き額縁の部材として、収納棚付き額縁と併せて説明する。図面は、収納棚付き額縁、額縁用収納棚、収納棚付き額縁または額縁用収納棚を構成する部材、および収納棚付き額縁または額縁用収納棚の周辺部材を模式的に表したものであり、これらの実物の寸法および寸法比は、図面上の寸法および寸法比と必ずしも一致していない。また、重複説明は適宜省略し、同一部材には同一符号を付与することがある。
【００１０】
図１は、本考案の実施形態に係る収納棚付き額縁１０の左側面を示す。図２は、収納棚付き額縁１０の上面を示す。図３は、収納棚付き額縁１０の正面を示す。図４は、収納棚付き額縁１０の背面を示す。収納棚付き額縁１０は、額縁１２と、額縁用収納棚１４とを備える。額縁１２は、上縁１６と、横縁１８，１８と、下縁２０とを備える。額縁用収納棚１４は、レール２２と、収納棚２４とを備える。
【００１１】
収納棚２４は、スライド２６と、収納部２８とを備える。収納部２８は、背板３０と、背板３０を覆う板状の背板カバー３２と、置場３４とを備える。レール２２は、図１に示すように、細長い金属板を短手方向に折り曲げて、曲げ角度をほぼ直角としたような断面Ｃ字状の部材であり、額縁１２の裏面の下縁２０に沿って取り付けられる。レール２２は、ビスや接着剤等を用いて下縁２０に固定される。このため、写真や絵画等の額縁１２の中身の出し入れの際に、レール２２が邪魔にならない。
【００１２】
本実施形態では、レール２２が額縁１２の裏面の下縁２０に沿って取り付けられるが、レール２２は、額縁１２の表面に取り付けてもよいし、上縁１６または横縁１８に取り付けてもよい。なお、レール２２を額縁１２の裏面の上縁１６に取り付ける場合には、収納棚２４の背板３０をくり抜いて、収納棚２４が額縁１２に取り付けられた状態で額縁１２の中身を出し入れできるようにしてもよい。
【００１３】
スライド２６は、図１に示すように、２つの細長い金属板を短手方向に折り曲げて、曲げ角度をほぼ直角としたような断面Ｊ字状の部材からなり、レール２２に嵌め込まれ、レール２２に沿って移動する。スライド２６は、ビスや接着剤等を用いて背板３０の上部に固定される。スライド２６は、額縁１２の左側または右側からレール２２に嵌め込まれる。したがって、収納棚２４を額縁１２に簡単に取り付けられるし、収納棚２４を額縁１２から簡単に取り外せる。
【００１４】
レール２２に嵌め込まれたスライド２６が抜けないように、レール２２とスライド２６との間に、ストッパ３６を挿入してスライド２６を固定する。ストッパ３６は、ゴム、プラスチック、木、金属等の簡単に抜き差し可能な部材から構成される。ストッパ３６は、複数設けてもよい。収納棚２４は、背板３０の前面上方から背板カバー３２を差し込めるように構成されている。背板カバー３２は、色違いや模様違いの他の背板カバーと入れ替えできる。このため、収納棚２４は装飾性に優れている。
【００１５】
以上、実施形態に基づいて本考案の収納棚付き額縁および額縁用収納棚を説明したが、本考案の収納棚付き額縁および額縁用収納棚は上記実施形態に限定されない。例えば、スライドがレールに嵌め込まれてレールに沿って移動できれば、スライドおよびレールの形状、大きさ、材質、数量等に制限はない。
【符号の説明】
【００１６】
１０…収納棚付き額縁、  １２…額縁、  １４…額縁用収納棚、  １６…上縁、  １８…横縁、  ２０…下縁、  ２２…レール、  ２４…収納棚、  ２６…スライド、  ２８…収納部、  ３０…背板、  ３２…背板カバー、  ３４…置場、  ３６…ストッパ
【図１】
0003180655.tif 000003
【図２】
0003180655.tif 000004
【図３】
0003180655.tif 000005
【図４】
0003180655.tif 000006